(57)【要約】【課題】本発明は、各磁極の先端に一対の曲折自在な舌片を形成し、この舌片を閉じることにより、コイルを巻きやすくし、高占積率及び整列巻きを可能とすることを目的とする。【解決手段】本発明による輪状ステータは、輪状ステータ(1)に突出して形成された各磁極(2)の先端(4)の各舌片(5)を曲折自在とし、各舌片(5)を閉としてコイル(10)を磁極(2)に設けた後、各舌片(5)を開とすることにより、コイル(10)の抜け止めが形成されて磁極(2)が形成される構成である。【選択図】図１
2007195278.tif 000002
【特許請求の範囲】
【請求項１】
複数の磁極(2)を有する輪状ステータにおいて、
前記磁極(2)の先端(4)の両側には、一対の折り曲げ可能な舌片(5)が設けられていることを特徴とする輪状ステータ。
【請求項２】
前記各磁極(2)は、互いに一体でかつ所定角度間隔で輪状に配列されていることを特徴とする請求項１記載の輪状ステータ。
【請求項３】
前記各磁極(2)は、１個の分割コア(20)に１個形成され、前記各分割コア(20)を輪状に連結したことを特徴とする請求項１記載の輪状ステータ。
【請求項４】
前記磁極(2)の先端(4)の両側に形成された磁極用テーパ部(8)と、前記各舌片(5)に形成された舌片用テーパ部(7)とを備え、
前記磁極(2)にコイル(10)が設けられた後、前記各舌片(5)を前記磁極(2)の長手方向と異なる方向に折り曲げることにより、前記舌片用テーパ部(7)が前記磁極用テーパ部(8)に接合するように構成されていることを特徴とする請求項１ないし３の何れかに記載の輪状ステータ。
【請求項５】
前記磁極(2)へのコイル(10)は、巻線機により前記磁極(2)に直接巻付けられていることを特徴とする請求項１又は２記載の輪状ステータ。
【請求項６】
前記磁極(2)へのコイル(10)は、予め、ボビンに巻付けられた後、前記コイル(10)を有する前記ボビンが前記磁極(2)に挿入して設けられていることを特徴とする請求項１ないし４の何れかに記載の輪状ステータ。
【発明の詳細な説明】
【技術分野】
【０００１】
本発明は、輪状ステータに関し、特に、各磁極の先端に曲折自在な一対の舌片を設け、磁極に直接コイルを巻付けるか、又は、予めコイルを巻付けたボビンを磁極に挿入した後に、各舌片を曲折し、磁極へのコイルの配置を行うことにより、コイル配置方法に依存することなく、コイルの高占積率及び整列巻線を可能とするための新規な改良に関する。
【背景技術】
【０００２】
従来、用いられていたこの種の輪状ステータとしては、例えば、特許文献１に開示されているように、輪状ステータの各磁極には、歯部を形成するように、その先端の両側には舌片が一体に形成されていた。
【０００３】
【特許文献１】米国特許第６，７２４，１０９号明細書
【発明の開示】
【発明が解決しようとする課題】
【０００４】
従来の輪状ステータは、以上のように構成されていたため、次のような課題が存在していた。
すなわち、前述の従来構成の輪状ステータにおいては、各磁極の先端の両側に舌片が固定されていたため、各スロットの入口が狭くなり、自動巻線機で各磁極にコイルを巻回する場合、ニードルの動きが制限を受け、巻回後のコイルのスロットルに対する占積率を向上させることができず、整列巻線を行うことが困難であった。
また、ボビンに予めコイルを巻回した後に、このボビンを磁極に挿入する場合も、舌片が障害となってボビンの形状を小型化することができず、前述と同様の課題が存在していた。
【課題を解決するための手段】
【０００５】
本発明による輪状ステータは、複数の磁極を有する輪状ステータにおいて、前記磁極の先端の両側には、一対の折り曲げ可能な舌片が設けられている構成であり、また、前記各磁極は、互いに一体でかつ所定角度間隔で輪状に配列されている構成であり、また、前記各磁極は、１個の分割コアに１個形成され、前記各分割コアを輪状に連結した構成であり、また、前記磁極の先端の両側に形成された磁極用テーパ部と、前記各舌片に形成された舌片用テーパ部とを備え、前記磁極にコイルが設けられた後、前記各舌片を前記磁極の長手方向と異なる方向に折り曲げることにより、前記舌片用テーパ部が前記磁極用テーパ部に接合するように構成されている構成であり、また、前記磁極へのコイルは、巻線機により前記磁極に直接巻付けられている構成であり、また、前記磁極へのコイルは、予め、ボビンに巻付けられた後、前記コイルを有する前記ボビンが前記磁極に挿入して設けられている構成である。
【発明の効果】
【０００６】
本発明による輪状ステータは、以上のように構成されているため、次のような効果を得ることができる。
すなわち、各磁極の先端の両側に一対の曲折自在な舌片が設けられ、磁極にコイルを直接巻付ける場合、又は、コイルを巻付けたボビンを磁極に挿入する場合、の何れの場合においても、各舌片を閉じておいてコイルを磁極に取付け、その後、各舌片を開いて磁極に固定されるため、各磁極へのコイルの取付けが容易となり、占積率の向上及び整列巻きを容易に達成することができる。
【発明を実施するための最良の形態】
【０００７】
本発明は、各磁極の先端に曲折自在な一対の舌片を設け、磁極に直接コイルを巻付けるか、又は、予めコイルを巻付けたボビンを磁極に挿入した後に、各舌片を曲折し、磁極へのコイルの配置を行うことにより、コイル配置方法に依存することなく、コイルの高占積率及び整列巻線を可能とした輪状ステータを提供することを目的とする。
【実施例】
【０００８】
以下、図面と共に本発明による輪状ステータの好適な実施の形態について説明する。
図１において、符号１で示されるものは、全体形状が輪状をなす輪状ステータであり、この輪状ステータ１の内面１ａには、内方に突出する複数の磁極２が形成され、各磁極２間にはスロット３が形成されている。
【０００９】
前記各磁極２の先端４の両側には、一対の舌片５がヒンジ部６を介して曲折自在に設けられており、この舌片５には舌片用テーパ部７が形成され、前記両側には、磁極用テーパ部８が形成されている。
【００１０】
前記各テーパ部７，８は、前記各舌片５を図２の（Ａ）のように閉状態とした場合は、各舌片５が磁極２の長手方向に沿う状態に向いて位置し、前記各舌片５を図２の（Ｂ）のように開状態とした場合は、各舌片５が磁極２の長手方向と異なるほぼ直交する方向に沿う状態に向いて曲折して位置し、例えば、導電性接着剤又は溶接等の手段によって各テーパ部７，８を固定することができる。
【００１１】
従って、前述の構成においては、各磁極２が輪状ステータ１として一体に輪状に結合した状態で形成されているため、各磁極２にコイルを巻回する場合は、各磁極２の各舌片５を図２の（Ａ）のように閉状態として、自動巻線機のニードル（図示せず）により、コイル１０を磁極２に巻付けて巻回し、巻回完了後は前記各舌片５を図２の（Ｂ）のように開状態として固定することにより、従来と同じ形状の磁極２となる。
尚、図１の構成の一体型の輪状ステータ１においては、周知の整列巻きによる分布巻を容易に行うことができる。
【００１２】
次に、図３で示す構成は、前記輪状ステータ１を、図１のように一体構成とするのではなく、複数の分割コア２０を互いに接合させて一体状に接続する構成であり、各分割コア２０を、図示しない自動巻線機のワーク保持部に順次自動供給し、図３の（Ａ）の状態の分割コア２０に対してコイル１０を周知の集中巻きにより巻付けると、図３の（Ｂ）の状態となり、この状態で各舌片５を閉から開状態とすることにより、図３の（Ｃ）の状態となる。
【００１３】
前述の図３の（Ｃ）状態のコイル１０巻回後の分割コア２０を一体接続して輪状とし、外周に輪状ヨーク（図示せず）を設けることにより、輪状ステータ１が形成される。
尚、前述の構成においては、各磁極２に直接コイル１０を巻付けて巻回する構成であるが、この構成に限ることなく、各磁極２に挿入するための筒状のボビン（図示せず）を用い、このボビンに対して予めコイル１０を巻回しておき、このボビンを各磁極２に挿入して輪状ステータ１を形成することもできる。また、本発明においては、各磁極２が内方に突出するインナロータ型の場合について述べたが、外方へ向けて磁極２を形成したアウタロータ型の場合についても適用可能である。
【産業上の利用可能性】
【００１４】
本発明は、レゾルバ及びモータの輪状ステータに対して適用可能である。
【図面の簡単な説明】
【００１５】
【図１】本発明による輪状ステータを示す平面図である。
【図２】図１のＣ部を示す拡大図で、コイルを巻回する状態を示す構成図である。
【図３】図１の他の形態で、分割コアにコイルを巻回する状態を示す構成図である。
【符号の説明】
【００１６】
１    輪状ステータ
１ａ    内面
２    磁極
３    スロット
４    先端
５    舌片
６    ヒンジ部
７    舌片用テーパ部
８    磁極用テーパ部
１０    コイル
２０    分割コア
【図１】
2007195278.tif 000003
【図２】
2007195278.tif 000004
【図３】
2007195278.tif 000005